(57)【特許請求の範囲】
【請求項１】
車両の後方に配置され、前記車両の後方を撮影する後方カメラからの第一映像データを取得する後方映像データ取得部と、
前記車両の側方に配置され、前記車両の側後方を撮影する側後方カメラからの第二映像データを取得する側後方映像データ取得部と、
前記後方映像データ取得部が取得した前記第一映像データの一部である第一範囲と、前記第一範囲の側方に位置する第二範囲とを切り出す切出部と、
前記車両の走行状況を判断する判断部と、
前記判断部が判断した走行状況に基づき、前記側後方映像データ取得部が取得した前記第二映像データと、前記切出部が切り出した前記第二範囲の映像データとからいずれか一方の映像データを選択する選択部と、
前記選択部が選択した映像データを、前記車両の側方の映像を表示するサイドモニタに表示させ、前記第一範囲として切り出された映像を、前記車両の後方映像を表示するリヤビューモニタに表示させる表示制御部と
を備えることを特徴とする車両用表示制御装置。
【請求項２】
前記切出部は、前記側後方映像データ取得部が取得した前記第二映像データに基づき、前記サイドモニタに表示される範囲において前記車両の車体の映り込みにより後方視界が阻害される範囲を含む範囲を前記第二範囲として切り出す
請求項１に記載の車両用表示制御装置。
【請求項３】
前記切出部は、前記第一範囲の側方端部と前記第二範囲とが一部重なるように切り出す
請求項１または２に記載の車両用表示制御装置。
【請求項４】
前記切出部は、前記第二範囲を、前記第一範囲に対して下方に位置するように切り出す
請求項１から３のいずれか１項に記載の車両用表示制御装置。
【請求項５】
前記判断部は、前記車両の前記走行状況に基づき、前記車両が所定速度以上で走行しているか否かを判断し、
前記選択部は、前記判断部で前記車両が所定速度以上で走行していると判断された場合、前記切出部が切り出した前記第二範囲の映像データを選択し、前記判断部で前記車両が所定速度未満で走行していると判断された場合、前記側後方映像データ取得部が取得した前記第二映像データを選択する
請求項１から４のいずれか１項に記載の車両用表示制御装置。
【請求項６】
前記判断部は、前記車両の前記走行状況に基づき、前記車両の走行地点が所定速度以上で走行可能な地点であるか否かを判断し、
前記選択部は、前記判断部で前記車両が所定速度以上で走行可能な地点を走行していると判断された場合、前記切出部が切り出した前記第二範囲の映像データを選択し、前記判断部で前記車両が所定速度以上で走行可能ではない地点を走行していると判断された場合、前記側後方映像データ取得部が取得した前記第二映像データを選択する
請求項１から４のいずれか１項に記載の車両用表示制御装置。
【請求項７】
請求項１から６のいずれか１項に記載の車両用表示制御装置と、
前記後方カメラ、前記側後方カメラ、前記リヤビューモニタ、前記サイドモニタのうち少なくともいずれかを備える
ことを特徴とする車両用表示システム。
【請求項８】
車両の後方に配置され、前記車両の後方を撮影する後方カメラからの第一映像データを取得する後方映像データ取得ステップと、
前記車両の側方に配置され、前記車両の側後方を撮影する側後方カメラからの第二映像データを取得する側後方映像データ取得ステップと、
前記後方映像データ取得ステップが取得した前記第一映像データの一部である第一範囲と、前記第一範囲の側方に位置する第二範囲とを切り出す切出ステップと、
前記車両の走行状況を判断する判断ステップと、
前記判断ステップが判断した走行状況に基づき、前記側後方映像データ取得ステップが取得した前記第二映像データと、前記切出ステップが切り出した前記第二範囲の映像データとからいずれか一方の映像データを選択する選択ステップと、
前記選択ステップが選択した映像データを、前記車両の側方の映像を表示するサイドモニタに表示させ、前記第一範囲として切り出された映像を、前記車両の後方映像を表示するリヤビューモニタに表示させる表示制御ステップと
を含む車両用表示制御方法。
【請求項９】
車両の後方に配置され、前記車両の後方を撮影する後方カメラからの第一映像データを取得する後方映像データ取得ステップと、
前記車両の側方に配置され、前記車両の側後方を撮影する側後方カメラからの第二映像データを取得する側後方映像データ取得ステップと、
前記後方映像データ取得ステップが取得した前記第一映像データの一部である第一範囲と、前記第一範囲の側方に位置する第二範囲とを切り出す切出ステップと、
前記車両の走行状況を判断する判断ステップと、
前記判断ステップが判断した走行状況に基づき、前記側後方映像データ取得ステップが取得した前記第二映像データと、前記切出ステップが切り出した前記第二範囲の映像データとからいずれか一方の映像データを選択する選択ステップと、
前記選択ステップが選択した映像データを、前記車両の側方の映像を表示するサイドモニタに表示させ、前記第一範囲として切り出された映像を、前記車両の後方映像を表示するリヤビューモニタに表示させる表示制御ステップと
を車両用表示制御装置として動作するコンピュータに実行させるためのプログラム。
【発明の詳細な説明】
【技術分野】
【０００１】
本発明は、車両用表示制御装置、車両用表示システム、車両用表示制御方法およびプログラムに関する。
【背景技術】
【０００２】
車両の後方を確認するルームミラーや左右サイドミラーに代わって、車両の後方周辺領域を撮影する後方カメラからの映像を表示したり、車両の側方周辺領域を撮影した側方カメラからの映像を表示したりする技術が知られている（例えば、特許文献１参照）。
【先行技術文献】
【特許文献】
【０００３】
【特許文献１】特開２０１５−００９６４６号公報
【発明の概要】
【発明が解決しようとする課題】
【０００４】
ところで、運転者は、車両の走行状況に応じて、車両の側方を確認したい場合や、車両の側方より後方を優先して確認したい場合がある。そこで、走行状況に応じて適切な車両周辺の確認を可能にする技術が望まれている。
【０００５】
本発明は、上記に鑑みてなされたものであって、走行状況に応じて適切な車両周辺の確認を可能とすることを目的とする。
【課題を解決するための手段】
【０００６】
上述した課題を解決し、目的を達成するために、本発明に係る車両用表示制御装置は、車両の後方に配置され、前記車両の後方を撮影する後方カメラからの第一映像データを取得する後方映像データ取得部と、前記車両の側方に配置され、前記車両の側後方を撮影する側後方カメラからの第二映像データを取得する側後方映像データ取得部と、前記後方映像データ取得部が取得した前記第一映像データの一部である第一範囲と、前記第一範囲の側方に位置する第二範囲とを切り出す切出部と、前記車両の走行状況を判断する判断部と、前記判断部が判断した走行状況に基づき、前記側後方映像データ取得部が取得した前記第二映像データと、前記切出部が切り出した前記第二範囲の映像データとからいずれか一方の映像データを選択する選択部と、前記選択部が選択した映像データを、前記車両の側方の映像を表示するサイドモニタに表示させ、前記第一範囲として切り出された映像を、前記車両の後方映像を表示するリヤビューモニタに表示させる表示制御部とを備えることを特徴とする。
【０００７】
本発明に係る車両用表示システムは、上記の車両用表示制御装置と、前記後方カメラ、前記側方カメラ、前記リヤビューモニタ、前記サイドモニタのうち少なくともいずれかとを備えることを特徴とする。
【０００８】
本発明に係る車両用表示制御方法は、車両の後方に配置され、前記車両の後方を撮影する後方カメラからの第一映像データを取得する後方映像データ取得ステップと、前記車両の側方に配置され、前記車両の側後方を撮影する側後方カメラからの第二映像データを取得する側後方映像データ取得ステップと、前記後方映像データ取得ステップが取得した前記第一映像データの一部である第一範囲と、前記第一範囲の側方に位置する第二範囲とを切り出す切出ステップと、前記車両の走行状況を判断する判断ステップと、前記判断ステップが判断した走行状況に基づき、前記側後方映像データ取得ステップが取得した前記第二映像データと、前記切出ステップが切り出した前記第二範囲の映像データとからいずれか一方の映像データを選択する選択ステップと、前記選択ステップが選択した映像データを、前記車両の側方の映像を表示するサイドモニタに表示させ、前記第一範囲として切り出された映像を、前記車両の後方映像を表示するリヤビューモニタに表示させる表示制御ステップとを含む。
【０００９】
本発明に係るプログラムは、車両の後方に配置され、前記車両の後方を撮影する後方カメラからの第一映像データを取得する後方映像データ取得ステップと、前記車両の側方に配置され、前記車両の側後方を撮影する側後方カメラからの第二映像データを取得する側後方映像データ取得ステップと、前記後方映像データ取得ステップが取得した前記第一映像データの一部である第一範囲と、前記第一範囲の側方に位置する第二範囲とを切り出す切出ステップと、前記車両の走行状況を判断する判断ステップと、前記判断ステップが判断した走行状況に基づき、前記側後方映像データ取得ステップが取得した前記第二映像データと、前記切出ステップが切り出した前記第二範囲の映像データとからいずれか一方の映像データを選択する選択ステップと、前記選択ステップが選択した映像データを、前記車両の側方の映像を表示するサイドモニタに表示させ、前記第一範囲として切り出された映像を、前記車両の後方映像を表示するリヤビューモニタに表示させる表示制御ステップとを車両用表示制御装置として動作するコンピュータに実行させる。
【発明の効果】
【００１０】
本発明によれば、走行状況に応じて適切な車両周辺の確認を可能にすることができるという効果を奏する。
【図面の簡単な説明】
【００１１】
【図１】図１は、第一実施形態に係る車両用表示システムの構成例を示す概略図である。
【図２】図２は、第一実施形態に係る車両用表示システムの構成例を示す概略図である。
【図３】図３は、第一実施形態に係る車両用表示システムの構成例を示すブロック図である。
【図４】図４は、第一実施形態に係る車両用表示システムの構成例を示す概略図である。
【図５】図５は、第一実施形態に係る車両用表示システムの後方カメラで撮影された映像データの一例を示す図である。
【図６】図６は、第一実施形態に係る車両用表示システムのリヤビューモニタと右サイドモニタと左サイドモニタとに表示される映像の一例を示す図である。
【図７】図７は、第一実施形態に係る車両用表示システムの後方カメラで撮影された映像データの他の例を示す図である。
【図８】図８は、第一実施形態に係る車両用表示システムの車両用表示制御装置の制御部における処理の流れを示すフローチャートである。
【図９】図９は、第一実施形態に係る車両用表示システムのリヤビューモニタと右サイドモニタと左サイドモニタとに表示される映像の他の例を示す図である。
【図１０】図１０は、第一実施形態に係る車両用表示システムのリヤビューモニタと右サイドモニタと左サイドモニタとに表示される映像の他の例を示す図である。
【図１１】図１１は、第二実施形態に係る車両用表示システムの車両用表示制御装置の制御部における処理の流れを示すフローチャートである。
【発明を実施するための形態】
【００１２】
以下に添付図面を参照して、本発明に係る車両用表示制御装置１０、車両用表示システム１、車両用表示制御方法およびプログラムの実施形態を詳細に説明する。なお、以下の実施形態により本発明が限定されるものではない。
【００１３】
［第一実施形態］
車両用表示システム１は、車両１００に搭載され、適切に車両周辺を表示する。図１は、第一実施形態に係る車両用表示システムの構成例を示す概略図である。図２は、第一実施形態に係る車両用表示システムの構成例を示す概略図である。図３は、第一実施形態に係る車両用表示システムの構成例を示すブロック図である。
【００１４】
図１ないし図３に示すように、車両用表示システム１は、後方カメラ１１０と、右側方カメラ（側後方カメラ）１２０と、左側方カメラ（側後方カメラ）１３０と、リヤビューモニタ１４０と、右サイドモニタ１５０と、左サイドモニタ１６０と、車両用表示制御装置１０とを有する。
【００１５】
後方カメラ１１０は、車両１００の後方に配置され、車両１００の後方を撮影する。後方カメラ１１０は、リヤビューモニタ１４０による確認範囲を含んだ範囲を撮影する。後方カメラ１１０は、右側方カメラ１２０および左側方カメラ１３０の死角を含んだ範囲を撮影する。図４、図５を用いて、後方カメラ１１０の撮影範囲を説明する。図４は、第一実施形態に係る車両用表示システムの構成例を示す概略図である。図５は、第一実施形態に係る車両用表示システムの後方カメラで撮影された映像データの一例を示す図である。後方カメラ１１０は、水平方向の画角が例えば９０〜１８０°、上下方向の画角が例えば４５〜９０°である。具体的には、後方カメラ１１０は、図５に示すような、第一映像データ１１０Ａを撮影している。後方カメラ１１０は、リヤビューモニタ１４０に表示させる範囲より広い範囲の映像を撮影可能であるが、リヤビューモニタ１４０を用いて車両１００の運転者が適切に後方を認識できるような範囲としての第一範囲ＡＣを切り出してリヤビューモニタ１４０に表示する。図４、図５に示すように、第一映像データ１１０Ａは、リヤビューモニタ１４０による確認範囲である第一範囲ＡＣと、右サイドモニタ１５０および左サイドモニタ１６０による確認範囲である第二範囲ＡＲ、第二範囲ＡＬとを含む。第一範囲ＡＣと第二範囲ＡＲとは、一部が重複している。第一範囲ＡＣと第二範囲ＡＬとは、一部が重複している。本実施形態では、第一映像データ１１０Ａは、第一範囲ＡＣと第二範囲ＡＲと第二範囲ＡＬとの外側をさらに含んでいる。言い換えると、後方カメラ１１０は、通常時、リヤビューモニタ１４０や右サイドモニタ１５０および左サイドモニタ１６０に表示されない範囲を含んで撮影している。後方カメラ１１０は、撮影した第一映像データ１１０Ａを車両用表示制御装置１０の映像データ取得部４０の後方映像データ取得部４２へ出力する。
【００１６】
右側方カメラ１２０は、車両１００の右側方に配置され、車両１００の右側方を撮影する。右側方カメラ１２０は、右サイドモニタ１５０による確認範囲を撮影する。右側方カメラ１２０は、図４に示すような、撮影範囲ＳＲを撮影している。右側方カメラ１２０は、水平方向の画角が例えば１５〜４５°、上下方向の画角が例えば１５〜４５°である。右側方カメラ１２０は、角度調節自在である。右側方カメラ１２０は、撮影した第二映像データを車両用表示制御装置１０の映像データ取得部４０の側後方映像データ取得部４１へ出力する。
【００１７】
左側方カメラ１３０は、車両１００の左側方に配置され、車両１００の左側方を撮影する。左側方カメラ１３０は、左サイドモニタ１６０による確認範囲を撮影する。左側方カメラ１３０は、図４に示すような、撮影範囲ＳＬを撮影している。左側方カメラ１３０は、水平方向の画角が例えば１５〜４５°、上下方向の画角が例えば１５〜４５°である。左側方カメラ１３０は、角度調節自在である。左側方カメラ１３０は、撮影した第二映像データを車両用表示制御装置１０の映像データ取得部４０の側後方映像データ取得部４１へ出力する。
【００１８】
リヤビューモニタ１４０は、一例としては電子ルームミラーである。リヤビューモニタ１４０を電子ルームミラーとして用いる場合は、後方を光学的な反射により確認するためのハーフミラーの有無は問わない。リヤビューモニタ１４０は、例えば、液晶ディスプレイ（ＬＣＤ：Liquid  Crystal  Display）または有機ＥＬ（Organic  Electro-Luminescence）ディスプレイなどを含むディスプレイである。リヤビューモニタ１４０は、車両用表示制御装置１０の表示制御部９０から出力された映像信号に基づき、車両１００の後方映像を表示する。具体的に、リヤビューモニタ１４０は、図６に示すような後方映像を表示する。図６は、第一実施形態に係る車両用表示システムのリヤビューモニタと右サイドモニタと左サイドモニタとに表示される映像の一例を示す図である。リヤビューモニタ１４０は、側方において、右サイドモニタ１５０および左サイドモニタ１６０の一部と重複して表示している。リヤビューモニタ１４０は、運転者から視認容易な位置に配置されている。本実施形態では、リヤビューモニタ１４０は、ウィンドシールド１０１の車幅方向の中央上部に配置されている。
【００１９】
右サイドモニタ１５０は、例えば、液晶ディスプレイまたは有機ＥＬディスプレイなどを含むディスプレイである。右サイドモニタ１５０は、車両用表示制御装置１０の表示制御部９０から出力された映像信号に基づき、車両１００の右側後方映像を表示する。具体的に、右サイドモニタ１５０は、通常表示時は、図６に示すような右側後方映像を表示する。右サイドモニタ１５０は、車両１００の右側方の車体１００Ｒの映り込みにより後方視界が阻害される範囲がある。右サイドモニタ１５０は、運転者から視認容易な位置に配置されている。本実施形態では、右サイドモニタ１５０は、ダッシュボード１０２の車幅方向の右側に配置されている。
【００２０】
左サイドモニタ１６０は、例えば、液晶ディスプレイまたは有機ＥＬディスプレイを含むディスプレイである。左サイドモニタ１６０は、車両用表示制御装置１０の表示制御部９０から出力された映像信号に基づき、車両１００の左側後方映像を表示する。具体的に、左サイドモニタ１６０は、通常表示時は、図６に示すような左側後方映像を表示する。左サイドモニタ１６０は、車両１００の左側方の車体１００Ｌの映り込みにより後方視界が阻害される範囲がある。左サイドモニタ１６０は、運転者から視認容易な位置に配置されている。本実施形態では、左サイドモニタ１６０は、ダッシュボード１０２の車幅方向の左側に配置されている。
【００２１】
図３に戻って、車両用表示制御装置１０は、記憶部２０と、制御部３０とを有する。
【００２２】
記憶部２０は、車両用表示制御装置１０における各種処理に要するデータおよび各種処理結果を記憶する。記憶部２０は、例えば、ＲＡＭ（Random  Access  Memory）、ＲＯＭ（Read  Only  Memory）、フラッシュメモリ（Flash  Memory）などの半導体メモリ素子、または、ハードディスク、光ディスク、ネットワークを介した外部記憶装置などの記憶装置である。
【００２３】
制御部３０は、例えば、ＣＰＵ（Central  Processing  Unit）などで構成された演算処理装置である。制御部３０は、映像データ取得部４０と、切出部５０と、判断部６０と、選択部７０と、表示制御部９０とを含む。制御部３０は、記憶部２０に記憶されているプログラムに含まれる命令を実行する。
【００２４】
映像データ取得部４０は、車両１００の後方および側後方を撮影した映像を取得する。映像データ取得部４０が取得する映像データは、例えば、毎秒１２０フレームの画像が連続した映像データである。映像データ取得部４０は、側後方映像データ取得部４１と、後方映像データ取得部４２とを有する。側後方映像データ取得部４１は、右側方カメラ１２０および左側方カメラ１３０が出力した第二映像データを取得する。側後方映像データ取得部４１は、取得した第二映像データを切出部５０に出力する。後方映像データ取得部４２は、後方カメラ１１０が出力した第一映像データ１１０Ａを取得する。後方映像データ取得部４２は、取得した第一映像データ１１０Ａを切出部５０に出力する。
【００２５】
切出部５０は、第一映像データ１１０Ａから、第一範囲ＡＣを切り出す。より詳しくは、切出部５０は、第一映像データ１１０Ａの一部である第一範囲ＡＣを切り出す。第一映像データ１１０Ａのどの範囲を第一範囲ＡＣとするかは、あらかじめ記憶部２０に記憶されている。本実施形態では、第一範囲ＡＣは、第一映像データ１１０Ａの中央部とする。
【００２６】
切出部５０は、第二映像データから、右サイドモニタ１５０および左サイドモニタ１６０に合わせた第一右映像データ１１０Ｒ１および第一左映像データ１１０Ｌ１を切り出す。右サイドモニタ１５０に表示される映像データは、右側方カメラ１２０が撮影した第二映像データを切り出さずに表示してもよく、第一右映像データ１１０Ｒ１として切り出したデータを表示してもよい。左サイドモニタ１６０に表示される映像データは、左側方カメラ１３０が撮影した第二映像データを切り出さずに表示してもよく、第一左映像データ１１０Ｌ１として切り出したデータを表示してもよい。
【００２７】
切出部５０は、第一映像データ１１０Ａから、第二範囲ＡＲおよび第二範囲ＡＬを切り出す。より詳しくは、切出部５０は、第一映像データ１１０Ａの第一範囲ＡＣの側方に位置する第二範囲ＡＲを第二右映像データ１１０Ｒ２として切り出す。切出部５０は、第一映像データ１１０Ａの第一範囲ＡＣの側方に位置する第二範囲ＡＬを第二左映像データ１１０Ｌ２として切り出す。第一映像データ１１０Ａのどの範囲を第二範囲ＡＲおよび第二範囲ＡＬとするかは、あらかじめ記憶部２０に記憶されている。
【００２８】
本実施形態では、図５に示すように、第二範囲ＡＲおよび第二範囲ＡＬは、その上下方向の中心軸線が、第一範囲ＡＣの上下方向の中心軸線と一致している。
【００２９】
または、図７に示すように、第二範囲ＡＲ１および第二範囲ＡＬ１は、その上下方向の中心軸線が、第一範囲ＡＣの上下方向の中心軸線より下方に位置付けられていてもよい。
【００３０】
このように構成された切出部５０は、切り出した第一右映像データ１１０Ｒ１と第一左映像データ１１０Ｌ１と第二右映像データ１１０Ｒ２と第二左映像データ１１０Ｌ２と切り出した後方映像データ１１０Ｃとを選択部７０に出力する。
【００３１】
判断部６０は、車両１００の走行状況を判断する。判断部６０は、車両１００のＥＣＵ（Engine  Control  Unit）から取得した情報に基づき、走行状況を判断する。より詳しくは、判断部６０は、例えば、車速を含む情報を取得する。判断部６０は、車両１００が所定速度以上で継続して走行しているか否かを判断する。具体的には例えば、判断部６０は、車両１００が車速３０ｋｍ／ｈ以上を１０秒以上継続して走行しているか否かを判断する。または、判断部６０は、車両１００が所定速度以上で継続して走行し、かつ、オートクルーズコントロールで動作しているか否かを判断してもよい。判断部６０は、判断結果を選択部７０に出力する。
【００３２】
選択部７０は、判断部６０が判断した走行状況に基づき、第一右映像データ１１０Ｒ１および第一左映像データ１１０Ｌ１と、第二右映像データ１１０Ｒ２および第二左映像データ１１０Ｌ２とからいずれか一方を選択する。より詳しくは、選択部７０は、判断部６０で車両１００が所定速度以上で走行していると判断された場合、第二右映像データ１１０Ｒ２および第二左映像データ１１０Ｌ２を選択する。選択部７０は、判断部６０で車両１００が所定速度未満で走行していると判断された場合、第一右映像データ１１０Ｒ１および第一左映像データ１１０Ｌ１を選択する。言い換えると、選択部７０は、通常時に、第一右映像データ１１０Ｒ１および第一左映像データ１１０Ｌ１を選択する。選択部７０は、選択結果を表示制御部９０に出力する。
【００３３】
表示制御部９０は、通常時の通常表示処理として、後方映像データ１１０Ｃをリヤビューモニタ１４０に表示させる。表示制御部９０は、選択部７０で選択された映像データを、右サイドモニタ１５０および左サイドモニタ１６０に表示させる。より詳しくは、表示制御部９０は、通常時の通常表示処理として、第一右映像データ１１０Ｒ１および第一左映像データ１１０Ｌ１を、右サイドモニタ１５０および左サイドモニタ１６０に表示させる。表示制御部９０は、判断部６０で所定条件を満たすと判断された場合、第一右映像データ１１０Ｒ２および第一左映像データ１１０Ｌ２を、右サイドモニタ１５０および左サイドモニタ１６０に表示させる。
【００３４】
次に、図８を用いて、制御部３０における処理の流れについて説明する。図８は、第一実施形態に係る車両用表示システムの車両用表示制御装置の制御部における処理の流れを示すフローチャートである。この処理は、車両用表示システム１の起動中実行される。
【００３５】
制御部３０は、車両１００の走行速度が所定速度以上であるか否かを判定する（ステップＳ１１）。より詳しくは、制御部３０は、判断部６０で、車両１００の走行速度が所定速度以上と判断されたか否かを判定する。
【００３６】
制御部３０は、判断部６０で、車両１００の走行速度が所定速度以上ではないと判断された場合（ステップＳ１１でＮｏ）、ステップＳ１４に進む。
【００３７】
制御部３０は、判断部６０で、車両１００の走行速度が所定速度以上を継続していると判断された場合（ステップＳ１１でＹｅｓ）、ステップＳ１２に進む。
【００３８】
制御部３０は、車両１００の走行速度が所定速度以上を所定時間以上継続しているか否かを判定する（ステップＳ１２）。より詳しくは、制御部３０は、判断部６０で、車両１００の走行速度が所定速度以上の状態を所定時間以上継続していると判断されたか否かを判定する。
【００３９】
制御部３０は、判断部６０で、車両１００の走行速度が所定速度以上を所定時間以上継続していないと判断された場合（ステップＳ１２でＮｏ）、ステップＳ１４に進む。
【００４０】
制御部３０は、判断部６０で、車両１００の走行速度が所定速度以上を所定時間以上継続していると判断された場合（ステップＳ１２でＹｅｓ）、ステップＳ１３に進む。
【００４１】
制御部３０は、右サイドモニタ１５０および左サイドモニタ１６０に表示する映像として、第二範囲ＡＲおよび第二範囲ＡＬの第二右映像データ１１０Ｒ２および第二左映像データ１１０Ｌ２を選択させ表示させる（ステップＳ１３）。より詳しくは、制御部３０は、選択部７０で、第二右映像データ１１０Ｒ２および第二左映像データ１１０Ｌ２を選択させる。そして、表示制御部９０で、右サイドモニタ１５０および左サイドモニタ１６０に対して、第二右映像データ１１０Ｒ２および第二左映像データ１１０Ｌ２を表示させる。
【００４２】
制御部３０は、現在の右サイドモニタ１５０および左サイドモニタ１６０が第二範囲ＡＲおよび第二範囲ＡＬの第二右映像データ１１０Ｒ２および第二左映像データ１１０Ｌ２を表示しているか否かを判定する（ステップＳ１４）。
【００４３】
制御部３０は、現在の右サイドモニタ１５０および左サイドモニタ１６０が第二範囲ＡＲおよび第二範囲ＡＬの第二右映像データ１１０Ｒ２および第二左映像データ１１０Ｌ２を表示していないと判断された場合（ステップＳ１４でＮｏ）、処理を終了する。
【００４４】
制御部３０は、現在の右サイドモニタ１５０および左サイドモニタ１６０が第二範囲ＡＲおよび第二範囲ＡＬの第二右映像データ１１０Ｒ２および第二左映像データ１１０Ｌ２を表示していると判断された場合（ステップＳ１４でＹｅｓ）、ステップＳ１５に進む。
【００４５】
制御部３０は、右サイドモニタ１５０および左サイドモニタ１６０に表示する映像として、側後方映像データ取得部４１が取得した第二映像データを選択させ表示させる（ステップＳ１５）。より詳しくは、制御部３０は、選択部７０で、第一右映像データ１１０Ｒ１および第一左映像データ１１０Ｌ１を選択させる。そして、表示制御部９０で、右サイドモニタ１５０および左サイドモニタ１６０に対して、第一右映像データ１１０Ｒ１および第一左映像データ１１０Ｌ１を表示させる。
【００４６】
具体的には、第二範囲ＡＲおよび第二範囲ＡＬが図５に示すように設定されている場合、制御部３０は、図９に示すように、右サイドモニタ１５０および左サイドモニタ１６０に第二右映像データ１１０Ｒ２および第二左映像データ１１０Ｌ２を表示させる。図９は、第一実施形態に係る車両用表示システムのリヤビューモニタと右サイドモニタと左サイドモニタとに表示される映像の他の例を示す図である。
【００４７】
または、第二範囲ＡＲ１および第二範囲ＡＬ１が図７に示すように設定されている場合、制御部３０は、図１０に示すように、右サイドモニタ１５０および左サイドモニタ１６０に第二右映像データ１１０Ｒ３および第二左映像データ１１０Ｌ３を表示させる。
【００４８】
このようにして、車両用表示システム１は、判断部６０で判断した車両１００の走行状況に基づき、選択部７０が選択した映像データを、右サイドモニタ１５０および左サイドモニタ１６０に表示させる。
【００４９】
上述したように、本実施形態に係る車両用表示システム１は、判断部６０で判断した車両１００の走行状況に基づき、選択部７０が選択した映像データを、右サイドモニタ１５０および左サイドモニタ１６０に表示させる。このように、車両用表示システム１は、車両１００の走行状況に基づき、適切な映像データを右サイドモニタ１５０および左サイドモニタ１６０に表示することができる。具体的には、車両用表示システム１は、車両１００が所定速度以上を所定時間以上継続している場合、右サイドモニタ１５０および左サイドモニタ１６０に第二右映像データ１１０Ｒ２および第二左映像データ１１０Ｌ２を表示する。これにより、車両１００が所定速度以上を所定時間以上継続している場合、車両１００の死角を含まない第二右映像データ１１０Ｒ２および第二左映像データ１１０Ｌ２で後方を側方より優先して確認することができる。これに対して、通常時は、第一右映像データ１１０Ｒ１および第一左映像データ１１０Ｌ１で車両１００の側方を確認することができる。このように、車両用表示システム１は、走行状況に応じて適切な車両１００周辺の確認を可能にすることができる。
【００５０】
［第二実施形態］
図１１を参照しながら、本実施形態に係る車両用表示システムについて説明する。図１１は、第二実施形態に係る車両用表示システムの車両用表示制御装置の制御部における処理の流れを示すフローチャートである。車両用表示システムは、基本的な構成は第一実施形態の車両用表示システム１と同様である。以下の説明においては、車両用表示システム１と同様の構成要素には、同一の符号または対応する符号を付し、その詳細な説明は省略する。
【００５１】
判断部は、例えば、現在地情報、地図情報を含む情報を取得する。判断部は、車両１００の走行地点が所定速度以上で走行可能な地点であるか否かを判断する。具体的には例えば、判断部は、車両１００の走行地点が、郊外の道路、高速道路、自動車専用道路、サーキットなどの場合、所定速度以上で走行可能な地点であると判断する。または、判断部は、車両１００がＥＴＣゲートを通過した場合、車両１００の走行地点が高速道路や自動車専用道路であり、所定速度以上で走行可能な地点であると判断してもよい。所定速度は、例えば、８０ｋｍ／ｈである。
【００５２】
選択部は、判断部で車両１００が所定速度以上で走行可能な地点を走行していると判断された場合、第二右映像データ１１０Ｒ２および第二左映像データ１１０Ｌ２を選択する。選択部は、判断部で車両１００が所定速度以上で走行可能ではない地点を走行していると判断された場合、第一右映像データ１１０Ｒ１および第一左映像データ１１０Ｌ１を選択する。言い換えると、選択部は、通常時に、第一右映像データ１１０Ｒ１および第一左映像データ１１０Ｌ１を選択する。
【００５３】
制御部は、判断部で、所定速度以上で走行可能な地点であると判断されたか否かを判定する（ステップＳ２１）。より詳しくは、判断部は、車両１００から取得した現在地情報と地図情報とに基づいて、車両１００の現在地が所定速度以上で走行可能な地点であるか否かを判断する。
【００５４】
制御部は、判断部で、所定速度以上で走行可能な地点ではないと判断された場合（ステップＳ２１でＮｏ）、ステップＳ２３に進む。
【００５５】
制御部は、判断部で、所定速度以上で走行可能な地点であると判断された場合（ステップＳ２１でＹｅｓ）、ステップＳ２２に進む。
【００５６】
制御部は、右サイドモニタ１５０および左サイドモニタ１６０に表示する映像として、第二範囲ＡＲおよび第二範囲ＡＬの第二右映像データ１１０Ｒ２および第二左映像データ１１０Ｌ２を選択させ表示させる（ステップＳ２２）。より詳しくは、制御部は、選択部で、第二右映像データ１１０Ｒ２および第二左映像データ１１０Ｌ２を選択し、表示制御部で、右サイドモニタ１５０および左サイドモニタ１６０に対して、第二右映像データ１１０Ｒ２および第二左映像データ１１０Ｌ２を表示させる。
【００５７】
制御部は、現在の右サイドモニタ１５０および左サイドモニタ１６０が第二範囲ＡＲおよび第二範囲ＡＬの第二右映像データ１１０Ｒ２および第二左映像データ１１０Ｌ２を表示しているか否かを判定する（ステップＳ２３）。
【００５８】
制御部は、現在の右サイドモニタ１５０および左サイドモニタ１６０が第二範囲ＡＲおよび第二範囲ＡＬの第二右映像データ１１０Ｒ２および第二左映像データ１１０Ｌ２を表示していないと判断された場合（ステップＳ２３でＮｏ）、処理を終了する。
【００５９】
制御部は、現在の右サイドモニタ１５０および左サイドモニタ１６０が第二範囲ＡＲおよび第二範囲ＡＬの第二右映像データ１１０Ｒ２および第二左映像データ１１０Ｌ２を表示していると判断された場合（ステップＳ２３でＹｅｓ）、ステップＳ２４に進む。
【００６０】
制御部は、右サイドモニタ１５０および左サイドモニタ１６０に表示する映像として、側後方映像データ取得部４１が取得した第二映像データを選択させ表示させる（ステップＳ２４）。より詳しくは、制御部は、選択部で、第一右映像データ１１０Ｒ１および第一左映像データ１１０Ｌ１を選択し、表示制御部で、右サイドモニタ１５０および左サイドモニタ１６０に対して、第一右映像データ１１０Ｒ１および第一左映像データ１１０Ｌ１を表示させる。
【００６１】
このようにして、車両用表示システムは、判断部で判断した車両１００の走行状況に基づき、選択部が選択した映像データを、右サイドモニタ１５０および左サイドモニタ１６０に表示させる。
【００６２】
上述したように、本実施形態に係る車両用表示システムは、第一実施形態と同様に、車両１００の走行状況に基づき、適切な右サイドモニタ１５０および左サイドモニタ１６０の表示をすることができる。具体的には、車両用表示システム１は、車両１００の現在地が所定速度以上で走行可能な地点である場合、右サイドモニタ１５０および左サイドモニタ１６０に第二右映像データ１１０Ｒ２および第二左映像データ１１０Ｌ２を表示する。これにより、車両１００の現在地が所定速度以上で走行可能な地点である場合、車両１００の死角を含まない第二右映像データ１１０Ｒ２および第二左映像データ１１０Ｌ２で後方を側方より優先して確認することができる。これに対して、通常時は、第一右映像データ１１０Ｒ１および第一左映像データ１１０Ｌ１で車両１００の側方を確認することができる。このため、車両用表示システムは、走行状況に応じて適切な車両１００周辺の確認を可能にすることができる。
【００６３】
図示した車両用表示システム１の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【００６４】
車両用表示システム１の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００６５】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【００６６】
表示制御部９０は、右サイドモニタ１５０および左サイドモニタ１６０に通常表示処理以外の表示処理を行う場合、通常表示ではないことを運転者などの認識可能に表示させてもよい。具体的には例えば、表示制御部９０は、右サイドモニタ１５０および左サイドモニタ１６０に第二右映像データ１１０Ｒ２および第二左映像データ１１０Ｌ２を表示する場合、所定透明度の半透明で着色して表示してもよい。これにより、車両用表示システム１は、右サイドモニタ１５０および左サイドモニタ１６０に第二右映像データ１１０Ｒ２および第二左映像データ１１０Ｌ２を表示していることを認識させ易くなる。このため、車両用表示システム１は、適切な車両１００周辺の確認を可能にすることができる。
【符号の説明】
【００６７】
１        車両用表示システム
１０      車両用表示制御装置
３０      制御部
４０      映像データ取得部
４１      側後方映像データ取得部
４２      後方映像データ取得部
５０      切出部
６０      判断部
７０      選択部
９０      表示制御部
１００    車両
１１０    後方カメラ
１１０Ａ  第一映像データ
１２０    右側方カメラ（側後方カメラ）
１３０    左側方カメラ（側後方カメラ）
１４０    リヤビューモニタ
１５０    右サイドモニタ
１６０    左サイドモニタ
ＡＣ      第一範囲
ＡＲ      第二範囲
ＡＬ      第二範囲
【図１】
0006690315.tif 000002
【図２】
0006690315.tif 000003
【図３】
0006690315.tif 000004
【図４】
0006690315.tif 000005
【図５】
0006690315.tif 000006
【図６】
0006690315.tif 000007
【図７】
0006690315.tif 000008
【図８】
0006690315.tif 000009
【図９】
0006690315.tif 000010
【図１０】
0006690315.tif 000011
【図１１】
0006690315.tif 000012